(57)【要約】      （修正有）【課題】公転運動を行なう球体や公転運動を行ないつつ自転運動を行なう球体によって身体を擦るようにしたマッサージ器具において、より複雑な刺激を与えることが出来るマッサージ器と、その主要な部品である球体付き回転体を提供する。【解決手段】周囲に複数個の指圧突起を備えた、複数組の回転板１０について、回転軸に反転ギヤ列を介して取り付けて成る組を設けた。また、回転軸４１に取り付ける複数組の回転板１０と球体１との組について、回転軸に反転ギヤ列を介して取り付けて成る組を設けた。また、上記の回転軸に重錘を偏心させて取り付けて成るものとした。【選択図】図１
0003167895.tif 000002
【実用新案登録請求の範囲】
【請求項１】
周囲に複数個の指圧突起を備えた回転板を回転軸に取り付けると共に、これと同様の構成の回転板と指圧突起との組を、前記回転軸に反転ギヤ列を介して取り付けて成る指圧突起付き回転体。
【請求項２】
回転軸に取り付けた２枚の回転板の間に複数個の指圧突起としての球体を、前記回転板の外周部に添って且つ前記回転板の外周部よりも外側に球体の外周部が出るようにして、回転可能に設けると共に、これと同様の構成の回転板と球体との組を、前記回転軸に反転ギヤ列を介して取り付けて成る指圧突起付き回転体。
【請求項３】
前記回転軸に重錘を偏心させて取り付けて成る、請求項１または請求項２に記載の指圧突起付き回転体。
【請求項４】
請求項１または請求項２または請求項３に記載の指圧突起付き回転体を備えており、前記回転軸をモータで回転させるように設けて成ることを特徴とするマッサージ器。
【考案の詳細な説明】
【技術分野】
【０００１】  この考案は、美顔や指圧やコリ解しなどに用いられ、公転運動を行なう指圧突起や公転運動を行ないつつ自転運動を行なう指圧突起によって身体を擦るためのマッサージ器具とその部品である指圧突起付き回転体とに関する。すなわち正回転をする指圧突起付き回転体と逆回転をする指圧突起付き回転体とを備えている点に特徴を有するものである。
【背景技術】
【０００２】  特開２００４−３２９８３４のマッサージ器具は、当考案者に係るものであるが、指圧突起である球体が付いた回転体に関して、図１及び図４で示すように、モータの回転軸に取り付けられた複数枚の円板の各々相対する面に軸受けの凹部が形成されており、この凹部に球体をはめ込むようにして、指圧突起としての球体を円板で挟み付けて成るものである。【０００３】  そしてモータをＯＮ状態にすることによって円板ごと球体を公転運動させ、この球体を身体所要部に当てるようにしてマッサージを行なうものである。この際に球体自体が円板の凹部の中で凹部から外れることなく自転運動を行なって、身体に心地良いマッサージ刺激を与えることが出来る。
【先行技術文献】
【特許文献】
【０００４】
【特許文献１】特開２００４−３２９８３４（図１、図４）
【考案の概要】
【考案が解決しようとする課題】
【０００５】  確かに特開２００４−３２９８３４のマッサージ器具では、身体に当てられた回転する球体によって一定のマッサージ効果を上げることが出来るのであるが、刺激が単調になりやすいと言う不満が出る場合があり、新たな刺激を加え得るようなマッサージ器の出現が望まれている。【０００６】  そこでこの考案は、上述したような構造のマッサージ器具のものからは得られないようなより複雑な刺激を与えることが出来るマッサージ器とその主要な部品である指圧突起付き回転体の提供を課題とする。
【課題を解決するための手段】
【０００７】  当考案者は鋭意研究の結果、従来のこの種のマッサージ器はどれも、モータの回転に伴って指圧突起である球体の付いた回転体が一斉に同方向に公転運動を行なうものであるために、身体に与える刺激が単調になりやすいのであると言うことが分かった。そこで当考案者は、指圧突起付き回転体の中に逆方向の公転運動を行なう部位を設ければ良いと言う知見を得た。【０００８】  すなわち上記課題は、周囲に複数個の指圧突起を備えた回転板を回転軸に取り付けると共に、これと同様の構成の回転板と指圧突起との組を、前記回転軸に反転ギヤ列を介して取り付けて成る指圧突起付き回転体とすることにより、またこのような指圧突起付き回転体を備えたマッサージ器とすることによって解決される。なお、前記指圧突起付きの回転体に付いて、指圧突起を回転体の周りに波状を呈するように設けることが出来る。また上記課題は、回転軸に取り付けた２枚の回転板の間に複数個の指圧突起としての球体を、前記回転板の外周部に添って且つ前記回転板の外周部よりも外側に球体の外周部が出るようにして、回転可能に設けると共に、これと同様の構成の回転板と球体との組を、前記回転軸に反転ギヤ列を介して取り付けて成る指圧突起付き回転体とすることにより、またこのような指圧突起付き回転体を備えたマッサージ器とすることにより解決される。なお前者では回転板の周囲に複数個の指圧突起を備えているが、指圧突起は球体であったり、半球体等であってよい。また例えば前記球体はその一部を回転板の周囲に埋め込むようにして設けたり、略半球体をその平面部分で回転板の周囲に接着固定して設けたりしても良い。【０００９】  このような指圧突起付き回転体は回転軸に取り付けられる。この回転軸を手で持って指圧突起付き回転体の部位を身体に当てるようにして転がすようにして使用する。或いは指圧突起付き回転体はモータの回転軸に取り付けられる。前記反転ギヤ列を介さずに取り付けられているものでは、この回転軸の回転方向と同じく正回転するのであるが、これに対して反転ギヤ列を介して取り付けられているものでは、モータの回転軸の回転方向とは逆の回転運動を行う。従って指圧突起付き回転体に正逆２方向の回転が混在することになり、これに触れる身体部分が受ける感触が以前のものよりも複雑になり、満足度が高まってマッサージ効果を上げることが出来るのである。【００１０】  なお、前記反転ギヤ列とこれに係る前記回転板の中に前記回転軸を遊びを設けて貫通させて成るものとすることが出来る。これを貫通した前記回転軸には更に別の正回転する前記指圧突起付きの回転体を設けることが可能であり、更に反転ギヤ列と逆の回転運動をさせたい指圧突起付き回転体を、と言うように前記指圧突起付き回転体を増設することが可能である。またこの場合、同方向に回転する回転体を複数個並べて設けたり正方向に回転する回転体と逆方向に回転する回転体とを交互に配設したりすることも可能である。【００１１】  さて、これまでのこの種のマッサージ器はどれも、公転する時に指圧突起である球体の最外周部分が描く軌跡の形が単純な円筒状であるために、身体に与える刺激が単調になりやすいのであると言うことが分かった。そこで当考案者は複数個の��体（この考案では指圧突起と言う）付き回転体に関して、それぞれが描く軌跡が異なるように構成し得るとの知見を得た。すなわち前記回転軸に前記回転板を偏心して取り付けて成るものとすれば、前記回転板とその周囲に固定的に設けられた複数個の指圧突起との組、または前記２枚の回転板とこの間に回転可能に設けられた複数個の指圧突起との組、に関してそれぞれの組が描く軌跡が単純な円状ではなくなるため、より複雑な刺激を身体に与えることが出来る。またこれと同じ動作は、前記回転軸にカムを取り付け、このカムを前記指圧突起付き回転体の中心に開けた孔部に填め込んで、このカムで前記孔部を押すように設けて成るものとしても実現可能である。カムの凸部に押される方向に前記指圧突起付き回転体が偏心して回転するからである。更にこの何れの構成であっても複数の前記指圧突起付き回転体の間で偏心方向が異なるように設けることで、前記組の集合体に、より複雑な動作を行わせ、身体に新たな刺激を加えることが可能となる効果を上げている。【００１２】  更に上述したような指圧突起付き回転体の回転軸に重錘を偏心させて取り付けて成るものとすることが出来る。この後回転軸は手動やモータで回転するように構成することが出来る。回転軸の回転により偏心重錘が回転するが、偏心重錘であるが故に振動を発生するのである。この振動は前記回転体から前記指圧突起に伝えられる。これにより回転体の回転による刺激と、回転体の振動による刺激との、２つの異なる刺激で相乗効果を上げることが出来るのである。【００１３】  またこの考案は、上述したモータで回転させるように設けた指圧突起付き回転体を備えたマッサージ器を提供することが出来る。この球体付き指圧突起体を備えたマッサージ器の作用効果は上述した通りである。なおモータに電力を供給するための電源（乾電池など）やスイッチや、場合によっては回転制御回路などをこのマッサージ器に内蔵するようにも設計し得るし、或いはこれ等を別に設けたコントローラに内蔵させてそこからマッサージ器に配線するようにも設計することが可能である。またこのマッサージ器の回転軸に重錘を偏心させて取り付けて成るものとすることが出来る。この作用効果は上述した通りである。【００１４】  このようなマッサージ器に指圧突起を覆うための柔軟な素材から成るカバーを掛けて成るものとすることが出来る。すなわち例えばマッサージ器の指圧突起付き回転体から先端部に掛けて柔軟な素材のカバーを被せるようにするのである。このカバーにはゴム素材のもの、プラスチック素材のもの、布素材のものなどで柔軟なものが任意に利用可能である。身体に触れる指圧突起などの部位がカバーで覆われているため、当たりがソフトなものと成って、効果的なマッサージ作用が得られる。あるいは好みのカバーに交換し得るように、カバーを本体に対して着脱自在とするなどもよい。このような構成であるため身体皮膚に対してはこのカバーの裏側から回転刺激を加えるようになる。従ってこのようなカバーを介しの当りはソフトなものであり、やはり心地良いものである。【００１５】  なおモータの回転軸に軸受けを設ける場合では、前記カバーでこの軸受けを係止するように設けて成るものとすることが出来る。上述したようにモータの回転軸には前記指圧突起付き回転体などが設けられるため、これ等をブレることなく回転させるためにはモータの回転軸に軸受けを設ける方がより好ましい。そこでこの軸受けをどこで支えるかであるが、前記カバーでこれを係止させて支える構成が可能である。
【考案の効果】
【００１６】  この考案は、複数の指圧突起付き回転体が、正方向の回転運動と逆方向の回転運動を行なうものとに分けて設けられていることによって、身体により複雑な新感覚のマッサージ刺激を与えることが出来るようになっている。なお前記回転軸に重錘を偏心させて取り付けて成るものでは、指圧突起付き回転体が振動して、指圧突起付き回転体の回転によるマッサージ刺激と振動によるマッサージ刺激との２つの異なる刺激で相乗効果を上げることが出来るようになっている。
【図面の簡単な説明】
【００１７】
【図１】  実施例１の球体付き回転体の模式図である。
【図２】  同実施例の回転板２０の底面図である。
【図３】  実施例２のマッサージ器の内部模式図である。
【図４】  実施例３の球体付き回転体の模式図である。
【図５】  実施例４の球体付き回転体の模式図である。
【図６】  同実施例の回転板７０の底面図である。
【図７】  実施例５の球体付き回転体の模式図である。
【図８】  実施例６の回転板７７の底面図である。
【考案を実施するための形態】
【実施例１】
【００１８】  図１及び図２はこの実施例の、指圧突起としての球体を備えた回転体を表わしたものである。各々６個の球体とこれ等の球体を挟む２枚の回転板との組が３組設けられている。図２で示したように２枚の回転板２０，２０の各々相対する面に球体受けとなる凹部２３が形成されており、この凹部２３に球体２をはめ込むようにしてこの凹部２３内で全方向に回転自在となるように球体２を２枚の回転板２０，２０で挟んで成るものである。なお回転板２０，２０の間は連結軸２１で結ばれている。この構成は球体１と回転板１０との組でも同様である。球体１と回転板１０との組は２組用いられている。この２組は同方向に回転するものであって、これに対して前記球体２と回転板２０との組は逆回転するものである。なお６個ある球体１も球体２も、回転板１０や回転板２０の外周部に添って且つ回転板の外周部よりも外側に球体の外周部が出るようにして回転可能に設けられている。【００１９】  図１で示したように回転軸４１には第１の球体１と回転板１０との組（図１では最下段のもの）が固定されている。２枚の回転板１０，１０をその中心部で接続する連結軸１１に前記回転軸４１を挿通させて、上記組を回転軸４１に固定して成る。従ってこの組は回転軸４１の回転方向と同一の方向に回転する。更に回転軸４１には上記組の上段に球体１と回転板１０との組、及びこれに連結された透明ケース３が、遊軸孔２２，３０に前記回転軸４１を通すようにして取り付けられている。前記透明ケース３には反転ギヤ列が納められている。この反転ギヤ列は図１で上側となるクラウンギヤ３１と下側となるクラウンギヤ３３とを向かい合わせに配置してその間にピニオンギヤ３２を噛合させて成るものであるが、上側となるクラウンギヤ３１が回転軸４１に固定されているのに対して、下側となるクラウンギヤ３３は回転軸４１に固定されておらず、このクラウンギヤ３３は前記透明ケース３に固定されている。なおピニオンギヤ３２は透明ケース３の側壁に回転軸で回転自在に取り付けられている。更に前記透明ケース３より先では第２の球体１と回転板１０との組が回転軸４１に固定されている（図１では最上段に描かれている）。従ってこの組も回転軸４１の回転方向と同一方向に回転するものとして設けられている。【００２０】  回転軸４１を回転させると、上述したように回転軸４１に固定されている回転板１０とクラウンギヤ３１とだけが回転軸４１と同一方向に回転する。クラウンギヤ３１の回転はピニオンギヤ３２を介してクラウンギヤ３３に逆方向への回転運動を起こさせる。このクラウンギヤ３３は透明ケース３に固定されており透明ケース３は遊軸孔３０で回転軸４１に通されているだけであるから、回転軸４１とは逆方向に回転する。この透明ケース３には回転板２０が固定されているが、この回転板２０自体もその連結軸２１が前記回転軸４１に対しては遊軸孔２２で通されているだけであるため、回転軸４１と逆方向に回転することが出来るのである。なお２組の回転板１０は何れも回転軸４１に固定されており、同一の方向へ回転する。この２組の回転板１０に挟まれる形で回転板２０が逆方向へ回転するのである。【００２１】  球体１と回転板１０との組が２組、この間に���まれる球体２と回転板２０とによる１組、が回転した時に、球体１，２が身体に接触していると、球体１，２は自転運動を行なう。図１で球体１の矢線方向の回転と球体２の矢線方向の回転とは逆になることが了解される。何れにせよこれ等に身体にはそれぞれの組が描く軌跡が交互に異なるように知覚される。このことによって身体により複雑な新感覚のマッサージ刺激を与えることが出来るのである。なお図１で球体１，２に接する鎖線は柔軟な合成樹脂製のカバー５０であり、このカバー５０がある場合にはマッサージ刺激はこのカバー５０を介して身体に伝達される。またこのカバー５０の少なくとも球体１，２に接触する部位が透明な素材で構成されているものとすれば、内部で正逆回転している球体１，２をカバー５０を透して見ることが出来る。これは以下で述べる他の実施例に付いても同様である。
【実施例２】
【００２２】  図３で表わされているこの実施例のマッサージ器は、上述した実施例１の球体付き回転体を組み込んで成るものである。すなわちマッサージ器のケース５にはモータ４とこの回転軸の回転数を下げるためのギヤボックス４０と、モータ４に電力を供給するための乾電池（図示せず）とが納められており、このモータ４をＯＮ／ＯＦＦするためのスイッチ４２がケース５の底部に設けられている。このモータ４の回転軸４１には上述の球体付き回転体が取り付けられている。そしてケース５から露出する前記球体付き回転体からケース５の先端までを、シリコン製のカバー５０で覆って成る。【００２３】  前記球体付き回転体の回転運動によって球体１，２がカバー５０を介して身体をマッサージする。特にこの球体１，２には回転軸というものが存在しないために球体１，２が全方向に回転可能と成っており、身体に対していろいろな方向に動かし、当て方を変えてマッサージを行なうことが可能と成っている。なお前記カバー５０の形状は任意であって、例えば人形や動物等の具象形状とするなども好ましい。
【実施例３】
【００２４】  図４で表わされているこの実施例のマッサージ器は、上述した実施例３のマッサージ器の先端部分を改造したものであり、回転軸はその先端部が先方に延伸された回転軸４３であり、この回転軸４３は支軸板４４の遊軸孔４５に回転自在に通されており、支軸板４４の周縁部は鎖線で表わすカバー５０に押さえ付けられて固定された状態となっている。【００２５】  また回転軸４３の先端部に偏心重錘６が固定されている。ここで言う偏心重錘とは、重錘が重量バランスを壊して回転軸４３に固定されたものを言い、このような偏心重錘６を回転させると、ここでは図示しないが上述の球体１，２にまで振動が伝わるのである。
【実施例４】
【００２６】  さて図５及び図６はこの実施例の球体付き回転体を表わしたものである。各々６個の球体とこれ等の球体を挟む２枚の回転板との組から成る。図６で示したように２枚の回転板７０，７０の各々相対する面に球体受けとなる凹部７１が形成されており、この凹部７１に球体７をはめ込むようにして、凹部７１内で全方向に回転自在となるように、球体７を２枚の回転板７０，７０で挟んで成るものである。このような構成の回転板７０と球体７との組を４組、各々、回転板７０の中心部から偏心させて開孔した偏心軸孔７２，７３，７４，７５を以て回転軸４１に固定して成る。【００２７】  従って回転軸４１を回転させると、図５から明らかとなるように、各々の組が偏心状態で且つ長径部がずれた状態で回転運動を行うため、各部の球体７に触れている身体にはそれぞれの組が描く軌跡が別々に波打つように知覚される。このことによって身体により複雑な新感覚のマッサージ刺激を与えることが出来るのである。
【実施例５】
【００２８】  次に図７は、この実施例の球体付き回転体を表わしたものである。円筒形状の回転板１３の周囲には回転対称となる６ヶ所の部位に、球体１２を填め込むための凹部１４が設けられており、ここに球体１２が接着固定されている。また同様に回転板２５の周囲の凹部２６に球体２４が填め込まれている。前記回転板１３は２組あるが、これ等は直接回転軸４１に固定されている。これに対して前記回転板２５は前記回転軸４１に反転ギヤ列を介して取り付けられている。この反転ギヤ列であるが、実施例１でも説明したように透明ケース３に反転ギヤ列が納められており、この反転ギヤ列は図７で上側となるクラウンギヤ３１と下側となるクラウンギヤ３３とを向かい合わせに配置してその間にピニオンギヤ３２を噛合させて成るものであるが、上側となるクラウンギヤ３１が回転軸４１に固定されているのに対して、下側となるクラウンギヤ３３は回転軸４１に固定されておらず前記透明ケース３に固定されている。ピニオンギヤ３２は透明ケース３の側壁に回転軸で回転自在に取り付けられている。更に前記透明ケース３より先方では上述の如く第２の球体１２と回転板１３との組が回転軸４１に固定されている（図７では最上段に描かれている）。従ってこの組も回転軸４１の回転方向と同一方向に回転するものとして設けられている。【００２９】  回転軸４１を回転させると、上述したように回転軸４１に固定されている回転板１３とクラウンギヤ３１とだけが回転軸４１と同一方向に回転する。クラウンギヤ３１の回転はピニオンギヤ３２を介してクラウンギヤ３３に逆方向への回転運動を起こさせる。このクラウンギヤ３３は透明ケース３に固定されており透明ケース３は遊軸孔３０で回転軸４１に通されているだけであるから、回転軸４１とは逆方向に回転する。この透明ケース３には回転板２５が固定されているが、この回転板２５自体も前記回転軸４１に対しては遊軸孔２７で通されているだけであるため、回転軸４１と逆方向に回転することが出来るのである。【００３０】  前記２組の回転板１３は何れも回転軸４１に固定されており、同一の方向へ回転する。この２組の回転板１３に挟まれる形で回転板２５が逆方向へ回転する。従って身体にはそれぞれの組が描く軌跡が交互に異なるように知覚される。このことによって身体により複雑な新感覚のマッサージ刺激を与えることが出来るのである。なお図６に描かれている球体１２，２４に接する鎖線は柔軟な合成樹脂製のカバー５０であり、このカバー５０があると、マッサージ刺激はこのカバー５０を介して身体に伝達される。このカバー５０の少なくとも球体１２，２４に接触する部位が透明な素材で構成されているものとすれば、内部で正逆回転している球体１２，２４をカバー５０を透して見ることが出来ることは上述した通りである。
【実施例６】
【００３１】  さて図８はこの実施例の球体付き回転体を表わしたものである。各々６個の半球体７６とこれ等の半球体７６を周囲に接着した回転板７７との組から成る。円筒形状の回転板７７の周囲には回転対称となる６ヶ所の部位に、半球体７６をその平面部で接着するための接着座７８が設けられており、ここに半球体７６が接着固定されている（なお半球体７６も身体を押す部位からすれば球体と同じである）。また前記回転板７７には偏心孔７８が開孔されており、この偏心孔７８に上述した回転軸４１に通して固定するための軸孔８０を有するカム８が填め込まれる。【００３２】  従って回転軸４１を回転させると、回転板７７の偏心孔７８が偏心回転運動を行うカム８に押されて、回転板７７が偏心回転運動を行なうことに成る。従ってこのような構成の回転板７７と半球体７との組を例えば４組、各々、前記カム８に填め込んで取り付けておけば、且つカム８ごとに偏心方向を違えて回転軸４１に固定しておけば、各々の回転板７７が偏心状態で回転運動を行うため、各部の半球体７６の球面部分に触れている身体には、それぞれの組が描く軌跡が別々に波打つように知覚される。このことによって身体に対してはより複雑な新感覚のマッサージ刺激を与えることが出来るのである。
【この他の実施例】
【００３３】  以下では図面を用いずに説明するが、上述の実施例を参照すれば理解は容易である。まず実施例１のクラウンギヤ３３の方を回転軸４１に固定し、回転軸４１から自由に設けたクラウンギヤ３１の側にその先の回転板と球体との組を固定すればこの組に逆転運動を起させることが出来るが、この際に遊軸孔の構成を不要とすることが出来る。
【００３４】  実施例１の回転板２０と球体２との組を複数組連結することも可能であり、これは他の組すなわち回転板１０と球体１との組に付いても同様に実施することが出来る。
【００３５】  透明ケース３は透明である必要はないのであるが、上記では内部構造が見えるように透明としてある。なおこのケースの外周部に球体を取り付ける構成も可能である。また球体には真珠玉や磁石玉やトルマリン玉などを用いることが可能であり、各々の素材が有する効能を亨受し得る。
【００３６】  また実施例１の回転板と球体との組を回転軸４１に偏心して取り付ける構成が可能である。これは実施例１と実施例４とを併せたような構成であると言うことが出来る。
【００３７】  また回転板が前記回転軸に対して非直角に（傾斜して）取り付けられて成るものとすることが出来る。回転板には回転板の外周部に沿って球体が回転自在に取り付けられているが、回転板がモータの回転軸に対して傾斜して取り付けられているために、球体全体としては波を打つような軌跡を描いて身体に接触しているような感覚を与えることが出来るのである。
【００３８】  また回転板に球体を取り付けるのに、上述した実施例では回転板に球体受けとなる凹部を形成して、この凹部に球体をはめ込むようにして球体を凹部回転自在としている。しかしながらこの構成に限定されることはないから、例えば回転板の各々相対する面に軸受けの溝部を形成し、この溝部に球体を、この球体に設けた回転軸をはめ込むようにして、球体を回転板で挟み付けて成るものを上げることが出来る。またこのように回転軸で球体を軸支するのであれば、球体の表面にマッサージに変化を付けるための凹凸を付けるなどの構成が可能となる。なおこれまでは回転板に円板を用いて来たが、必ずしも円板でなくともよく、正多角形状のものや、これ等の形を崩したものなどが適宜利用可能である。また必ずしもいわゆる板状でなくてよい。また球体には全て同じものを使わなくてはならないと言うような限定もないから、例えば回転板に大小２種類の球体を交互に配設するなども可能である。大小の球体はその曲率が異なるため、身体に接触した時に当たりが異なって感じられて、マッサージにもリズミカルな変化を加えることが出来るのである。
【００３９】  なお上述実施例のマッサージ器は、回転軸をモータで回転させるように設けて成るが、モータを用いることなく、手動で回転軸を回転させることが出来るようなハンドルを設けた構成とすることも可能である。
【産業上の利用可能性】
【００４０】  なおこの考案は上述した実施例に限定されないから、上述のように回転板や球体の素材や大きさの選択は任意であり、同一の層内に於いて外周部の球体の内側に別の球体を配設することも可能である。【００４１】  またマッサージ器具としては、実施例で説明したカバー５０は必須ではないから、球体が直接身体に接触し得るような構成も可能である。
【符号の説明】
【００４２】  １    球体            １０  回転板            １１  連結軸
１２  球体            １３  回転板            １４  凹部
２    球体            ２０  回転板            ２１  連結軸
２２  遊軸孔          ２３  凹部              ２４  球体
２５  回転板          ２６  凹部              ２７  遊軸孔
３    透明ケース      ３０  遊軸孔            ３１  クラウンギヤ
３２  ピニオンギヤ    ３３  クラウンギヤ      ４    モータ
４０  ギヤボックス    ４１  回転軸            ４２  スイッチ
４３  回転軸          ４４  支軸板            ４５  遊軸孔
５    ケース          ５０  カバー            ６    偏心重錘
６０  回転軸          ６１  偏心重錘          ６２  スイッチ
７    球体            ７０  回転板            ７１  凹部
７２  偏心軸孔        ７３  偏心軸孔          ７４  偏心軸孔
７５  偏心軸孔        ７６  半球体            ７７  回転板
７８  接着座          ７９  偏心孔            ８    カム
８０  軸孔
【図１】
0003167895.tif 000003
【図２】
0003167895.tif 000004
【図３】
0003167895.tif 000005
【図４】
0003167895.tif 000006
【図５】
0003167895.tif 000007
【図６】
0003167895.tif 000008
【図７】
0003167895.tif 000009
【図８】
0003167895.tif 000010